(57)【要約】      （修正有）【課題】カビを発生させることなく、グリセリン水溶液等の発煙剤を容器に収納したまま使用可能とする発煙装置を提供する。【解決手段】煙感知器の試験に用いる煙を発生させる発煙装置１０は、不燃性の芯材１８に含浸された容器１２の発煙剤１６をヒータ２０により加熱して煙を発生させる。発煙装置１０には紫外線発光素子３６が設けられ、電源投入時等に数秒間、発光駆動され、容器１２に収納された発煙剤１６に紫外線を照射して殺菌を行う。発煙装置１０が外部に露出されている場合は、紫外線発光素子３６の発光駆動を禁止し、有害な紫外線が人の目に入らないようにする。【選択図】図１
2020194247.tif 000002
【特許請求の範囲】
【請求項１】
煙感知器の試験に用いる煙を発生させる発煙装置であって、
容器から摘出した発煙剤を加熱して煙を発生させる発煙手段と、
前記容器に収納された前記発煙剤に光を照射して殺菌する殺菌手段と、
が設けられたことを特徴とする発煙装置。
【請求項２】
請求項１記載の発煙装置に於いて、
前記殺菌手段は、
前記照射する光として紫外線を照射するために発光する紫外線発光素子が設けられたことを特徴とする発煙装置。
【請求項３】
請求項２記載の発煙装置に於いて、
前記殺菌手段は、
前記紫外線発光素子を電源投入時又は電源投入後の最初の発煙開始時又は発光駆動を行わせるための所定操作が行われたときに所定時間だけ発光駆動する殺菌制御部と、
が設けられたことを特徴とする発煙装置。
【請求項４】
請求項３記載の発煙装置に於いて、
前記殺菌制御部は、前記発煙装置の外部への露出、又は、前記容器の取出しを検出したとき、前記紫外線発光素子の発光駆動を禁止することを特徴とする発煙装置。
【請求項５】
請求項４記載の発煙装置に於いて、
前記殺菌手段は、
前記発煙装置の外部への露出を検出する露出検出素子として受光素子が設けられたことを特徴とする発煙装置。
【請求項６】
請求項５記載の発煙装置に於いて、
前記殺菌手段は、
前記紫外線発光素子及び前記露出検出素子が属する空間と発煙手段が属する空間を区切る区切り部を備え、
前記区切り部の内、露出検出素子が受光可能な角度に対向する範囲の少なくとも一部と露出検出素子が検出する光の波長が透過する材質で形成されたことを特徴とする発煙装置。
【請求項７】
請求項１記載の発煙装置に於いて、前記発煙剤を収納した前記容器のうち少なくとも殺菌光が照射される部分は少なくとも殺菌光の波長域を透過する材質で形成されたことを特徴とする発煙装置。
【請求項８】
請求項１乃至７の何れかに記載の発煙装置に於いて、前記発煙装置は、筐体内の試験対象となる煙感知器が設けられた試験空間に煙を供給して前記煙感知器の感度を試験する感度試験装置、又は、天井面に設置された煙感知器に煙を供給することで試験を行う煙感知器試験装置に設けられたことを特徴とする発煙装置。
【発明の詳細な説明】
【技術分野】
【０００１】
本発明は、グリセリン水溶液等の発煙剤を使用して煙感知器の試験に用いる煙を発生させる発煙装置に関する。
【背景技術】
【０００２】
従来、オフィス等の建物内には火災報知設備が設置されており、火災が発生した場合に、火災により発生した煙を煙感知器で検知して発報信号を受信機に送って火災警報を出力させ、消火、避難、消防活動を行うことができるようにしている。
【０００３】
火災報知設備は、建物への設置後、定期的に点検が行われており、煙感知器については、天井面に設置された煙感知器を取外し、点検の際に持ち込んだ感度試験装置を使用して所定の煙濃度で火災発報することを確認する感度試験を行い、感度試験の済んだ煙感知器を天井面に取り付けた後に、可搬式の加煙試験器を使用して火災発報することを確認する動作試験を行っている。また、火災報知設備の施工時にも、可搬式の加煙試験器を使用して火災発報することを確認する動作試験を行っている。
【０００４】
このような従来の感度試験装置や加煙試験器は、スプレーにより煙状微粒子を含む試験用ガス（擬似煙）を発生させるもの（特許文献１）や、試験油を浸透させた浸透材を電気ヒータにより加熱して油煙を発生させて、この油煙を送風装置により強制的に上昇させるもの（特許文献２）、線香の煙を用いるものが提案されている。
【０００５】
しかしながら、スプレーによる加煙試験器にあっては、フロンガスを使用しているため環境負荷が大きく、また、今後は代替フロンの入手困難や価格高騰などの問題がある。代替ガスとしてＬＰＧを使用することもできるが、ＬＰＧは可燃性であり、低温で使用できないなどの問題がある。
【０００６】
また、油煙式の加煙試験器にあっては、煙を放出し始めてから煙濃度が上昇して煙感知器が試験発報するまで時間がかかる問題がある。
【０００７】
また、線香を用いる加煙試験器にあっては、線香のにおいが残ってしまうために試験場所によっては特に忌避される問題がある。
【０００８】
この問題を解決するため、本願発明者等は、容器に人体に無害なグリセリン水溶液やグリコールエチレン水溶液等の発煙剤を収納し、不燃性の芯材に含浸された発煙剤をヒータにより加熱して煙を発生させる発煙装置を提案しており、容器に試験に必要な量の発煙剤を入れておくことができ、使用により発煙剤が減少した場合には補充することができ、作業効率を向上可能としている。
【先行技術文献】
【特許文献】
【０００９】
【特許文献１】特開２０１７−２２８０１９号公報
【特許文献２】特開２０１６−１９７４４２号公報
【特許文献３】特開２０１８−００５９０１号公報
【特許文献４】特開平０４−０００５９９号公報
【発明の概要】
【発明が解決しようとする課題】
【００１０】
しかしながら、容器に収納されたグリセリンやグリコールエチレン等の水溶液を用いた発煙剤は、水を主成分としているため、何らかの理由でカビ等の菌が混入してしまった場合、時間の経過とともに容器に入ったカビが繁殖する可能性を否定できない。ヒータの加熱により基本的にカビは死滅するが、発煙とともに空気中に耐熱性を有する菌などを放出してしまう虞れがある。
【００１１】
この問題を解決するためには、容器に除菌済みの発煙剤を充填するか、或いは、頻繁に発煙剤を入れ替えるといった対応が考えられるが、発煙剤の管理に手間と時間がかかり、発煙剤を使用したことの利点が損なわれる可能性がある。
【００１２】
また、殺菌効果のある薬剤を添加する対応でも、物性の変化に伴い発生する煙の量が変化したりコストアップになってしまう虞がある。
【００１３】
本発明は、カビを発生させることなく、グリセリン水溶液等を用いた発煙剤を容器に収納したまま使用可能とする発煙装置を提供することを目的とする。
【課題を解決するための手段】
【００１４】
（発煙装置）
本発明は、煙感知器の試験に用いる煙を発生させる発煙装置であって、
容器から摘出した発煙剤を加熱して煙を発生させる発煙手段と、
容器に収納された発煙剤に光を照射して殺菌する殺菌手段と、
が設けられたことを特徴とする。
【００１５】
（紫外線発光素子）
殺菌手段は、照射する光として紫外線を照射するために発光する紫外線発光素子が設けられる。
【００１６】
（発光制御）
殺菌手段は、紫外線発光素子を電源投入時又は電源投入後の最初の発煙開始時又は発光駆動を行わせるための所定操作が行われたときに所定時間だけ発光駆動する殺菌制御部と、が設けられる。
【００１７】
（安全対策）
殺菌制御部は、発煙装置の外部への露出、又は、容器の取出しを検出したとき、紫外千発光素子の発光駆動を禁止する。
【００１８】
（受光素子による安全対策）
殺菌手段は、発煙装置の外部への露出を検出する露出検出素子として受光素子が設けられる。
【００１９】
（受光素子の結露防止手段）
殺菌手段は、
紫外線発光素子及び露出検出素子が属する空間と発煙手段が属する空間を区切る区切り部を備え、
区切り部の内、露出検出素子が受光可能な角度に対向する範囲の少なくとも一部と露出検出素子が検出する光の波長が透過する材質で形成される。
【００２０】
（殺菌光透過材の容器）
発煙剤を収納した容器のうち少なくとも殺菌光が照射される部分は少なくとも殺菌光の波長域を透過する材質で形成される。
【００２１】
（発煙装置の組込み機器）
発煙装置は、筐体内の試験対象となる煙感知器が設けられた試験空間に煙を供給して煙感知器の感度を試験する感度試験装置、又は、天井面に設置された煙感知器に煙を供給することで試験を行う煙感知器試験装置に設けられる。
【発明の効果】
【００２２】
（基本的な効果）
本発明は、煙感知器の試験に用いる煙を発生させる発煙装置であって、容器から摘出した発煙剤を加熱して煙を発生させる発煙手段と、容器に収納された発煙剤に光を照射して殺菌する殺菌手段とが設けられたため、容器に収納されたグリセリン水溶液やグリコールエチレン水溶液等を用いた発煙剤は、容器にカビが入っても、光の照射により殺菌され、発煙剤に入ったカビが繁殖して劣化することがなく、発煙剤の保管や充填等の運用管理が簡単且つ容易となり、容器に発煙剤を補充しながら使い続けることができるというメリットを有効に生かすことできる。
【００２３】
（紫外線発光素子の効果）
また、殺菌手段は、照射する光として紫外線を照射するために発光する紫外線発光素子が設けられたため、例えば、殺菌能力の高い２６５ｎｍに発光ピークを持つ紫外線ＬＥＤ等の半導体素子を使用することで、直径及び高さが数センチメートル以下となる小型の容器であっても、少ない設置スペースに紫外線発光素子を配置して容器に収納した発煙剤に紫外線を照射して殺菌できる。
【００２４】
（発光制御の効果）
また、殺菌手段は、紫外線発光素子を電源投入時又は電源投入後の最初の発煙開始時又は発光駆動を行わせるための所定操作が行われたときに所定時間だけ発光駆動する殺菌制御部とが設けられたため、紫外線発光素子を、電源投入時や電源投入後の最初の発煙開始時又は任意のタイミングに、数秒間、発光駆動することで、煙感知器の試験に発煙装置を使用している場合には、少なくとも一日に一回は紫外線照射による殺菌を行うことができる。
【００２５】
（安全対策の効果）
また、発煙制御部は、発煙装置の外部への露出、又は、容器の取出しを検出したとき、紫外線発光素子の発光駆動を禁止するようにしたため、例えば、発煙剤を補充するために発煙装置を外部に露出している場合には、紫外線発光素子の発光駆動が禁止されており、紫外線が人の目に入って炎症等を引き起こすことを確実に防止し、発煙装置が外部に露出していない場合のみ紫外線発光素子の発光駆動を許容することで、高い安全性が確保される。
【００２６】
（受光素子による安全対策による効果）
また、殺菌手段は、発煙装置の外部への露出を検出する露出検出素子として受光素子が設けられるようにしたため、外部からの光を検出することにより外部への露出を確実に検出することができる。
【００２７】
（受光素子の結露防止手段）
また、殺菌手段は、紫外線発光素子及び露出検出素子が属する空間と発煙手段が属する空間を区切る区切り部を備え、区切り部の内、露出検出素子が受光可能な角度に対向する範囲の少なくとも一部と露出検出素子が検出する光の波長が透過する材質で形成されるようにしたため、露出検出素子が外部からの光を検出する機能を有したまま、発煙に伴う水蒸気が紫外線発光素子及び露出検出素子が属する空間に移動しないようにすることで、結露等に伴う問題の発生を防止することができる。
【００２８】
（殺菌光透過材の容器による効果）
また、発煙剤を収納した容器のうち少なくとも殺菌光が照射される部分は少なくとも殺菌光の波長域を透過する材質で形成されるようにしたため、例えば、殺菌光としての紫外線の透過特性の高い非アルカリガラスにより容器を形成することで、殺菌手段から照射した殺菌光を少ない損失で容器内の発煙剤に照射して殺菌効果を高めることができる。
【００２９】
（発煙装置の組込み機器）
発煙装置は、筐体内の試験対象となる煙感知器が設けられた試験空間に煙を供給して煙感知器の感度を試験する感度試験装置、又は、天井面に設置された煙感知器に煙を供給することで試験を行う煙感知器試験装置に設けられたため、加煙試験器を用いた発報試験又は感度試験装置を用いた感度試験を通じて容器に収納した発煙剤は紫外線の照射により殺菌され、容器に発煙剤を入れたままにしていても、カビの繁殖により発煙剤を劣化させることなく、発煙装置を用いた煙感知器の試験作業を効率良く進めることを可能とする。
【図面の簡単な説明】
【００３０】
【図１】発煙装置の実施形態を示した説明図
【図２】図１の発煙装置を組み込んだ感度試験装置を示した説明図
【図３】感度試験装置の内部構造を示した説明図
【図４】感度試験装置の発煙装置組込み部分を側面から見た断面で示した説明図
【図５】発煙装置と制御部の機能構成を示したブロック図
【図６】図１の発煙装置を組み込んだ加煙試験器を示した説明図
【発明を実施するための形態】
【００３１】
［発煙装置の実施形態］
図１は発煙装置の実施形態を示した説明図であり、図１（Ａ）は正面を示し、図１（Ｂ）は平面を示す。
【００３２】
［実施形態の基本的な概念］
本実施形態の基本的な概念は、感度試験装置や加煙試験器に組み込まれ、煙感知器の試験に用いる煙を発生させる発煙装置１０であって、不燃性の芯材１８に含浸された透明な容器１２の発煙剤１６をヒータ２０により加熱して煙を発生させる発煙手段と、容器１２に収納された発煙剤１６に紫外線を照射して殺菌する殺菌手段である紫外線発光素子３６とが設けられ、容器１２に収納されたグリセリン水溶液やグリコールエチレン水溶液等を用いた発煙剤１６は、紫外線発光素子３６からの紫外線の照射により殺菌され、容器１２にカビが入っても、カビが繁殖して発煙剤１６を劣化させることがなく、発煙剤１６の保管や充填等の運用管理が簡単且つ容易となり、容器１２に発煙剤１６を補充しながら使い続けることができるというメリットを有効に生かすことできる、というものである。
【００３３】
また、発煙剤１６を容器１２に補充するために発煙装置１０を外部に露出している場合には、紫外線発光素子３６の発光駆動が禁止されており、紫外線が人の目に入って炎症等を引き起こすことを確実に防止し、発煙装置１０が外部に露出していない場合のみ紫外線発光素子３６の発光駆動を許容することで、高い安全性が確保する、というものである。
【００３４】
［発煙装置］
（発煙装置の概要）
図１に示すように、本実施形態の発煙装置１０は、発煙剤１６が収納されるカップ状の透明な容器１２を有し、容器１２の上部開口は回路基板を用いた蓋部材１４が接着固定されることで閉鎖されている。
【００３５】
蓋部材１４には、一対の液漏れ防止キャップ１５が配置される。液漏れ防止キャップ１５には紐状の芯材１８の両端を通し、芯材１８の先端を容器１２に収納された発煙剤１６に浸漬させ、毛細管現象により発煙剤１６を吸い上げ、芯材１８に発煙剤１６を含浸させている。
【００３６】
芯材１８としては、不燃性のガラス繊維、シリカ繊維、ステンレス撚り線等を使用する。また、発煙剤１６としては、親水性を有し保水性が高い成分、例えば、グリセリン、プロピレングリコール等の成分のうち少なくとも一成分を含む人体に無害な水溶性液体が用いられる。
【００３７】
蓋部材１４の上面に位置する芯材１８の水平露出部分にはヒータ２０が巻き回されている。ヒータ２０はニクロム線、白金線等の金属線であり、例えば線径０．２〜０．４ｍｍのヒータ線を芯材１８にコイル状に巻き回し、コイル内径は１．０〜３．０ｍｍでコイル長さは１０ｍｍ以下としている。
【００３８】
ヒータ２０はコイル両端を蓋部材１４に起立した一対のコイル支持ポール２２にねじ２４により固定して支持しており、蓋部材１４の回路パターンにコイル支持ポール２２を介してコイル両端が電気的に接続されている。蓋部材１４の右端の端子部にはリード線２８が接続され、リード線２８はコネクタ３０により後の説明で明らかする制御部に接続され、ヒータ２０に対する通電加熱制御が行われる。
【００３９】
制御部の通電加熱制御によりヒータ２０に通電されると、発煙剤１６が含浸された芯材１８が加熱され、ヒータ２０の芯材１８に対する接触部分が変霧器（アトマイザー）として機能し、芯材１８に含浸されているグリセリン、プロピレングリコール等の成分を含む水溶性液体としての発煙剤１６が気化され、煙を模した蒸気となって放出される。
【００４０】
また、蓋部材１４に支持されたヒータ２０の近傍の基板上には温度検知器４２が配置されており、回路パターンを介してリード線２８に接続され、リード線２８のコネクタ３０により制御部に接続される。温度検出部４２としては、サーミスタ、熱電対等の温度センサが使用される。また、温度検出部４２は、蓋部材１４ではなく、ヒータ２０が巻かれた芯材１８の部分に埋め込み又は差し込むように配置しても良い。
【００４１】
また、蓋部材１４には発煙剤注入口キャップ２６が設けられ、注射器等を使用することにより、発煙剤注入口キャップ２６を介して容器１２内に発煙剤１６を注入して補充できるようにしている。なお、容器１２の側面には、発煙剤１６の量を示す目盛を設けても良い。
【００４２】
（殺菌構造）
発煙装置１０に設けられた容器１２は架台３２上に配置されており、架台３２の容器１２の底部に対応した位置には円形穴３２ａが形成されている。架台３２の下には制御基板３４が配置される。容器１２の底部に相対した制御基板３４上には、殺菌手段である紫外線発光素子３６が配置されている。
【００４３】
架台３２により、制御基板３４の属する空間とヒータ２０等が属する発煙部が属する空間が区切られており、発煙により生じた水蒸気等が制御基板３４に結露しない構造となっている。
【００４４】
周知のように、紫外線は強い殺菌作用があり、殺菌作用が最大となる波長は約２６０ｎｍ付近にある。紫外線発光素子３６は、市販のものが使用され、例えば殺菌能力の高い波長２６５ｎｍにピーク特性をもち、数十ｍＷの光出力を得ることができ、指向特性は１２０°となる。
【００４５】
また、紫外線発光素子３６からの紫外線を照射する容器１２としては、紫外線の透過率の高い材料として、例えば、無アルカリガラスを用いた紫外線透過ガラスを使用し、紫外線を低損失で透過して収納している発煙剤１６に照射できるようにしている。
【００４６】
本実施形態にあっては、容器１２に収納された発煙剤１６に対し、紫外線発光素子３６から数秒程度、紫外線を照射することで、発煙剤１６に入ったカビ等を殺菌することができる。
【００４７】
一方、紫外線を目に受けると、角膜炎や結膜炎を起こす虞があり、紫外線が人の目に入ることを避ける必要がある。
【００４８】
このため本実施形態では、制御基板３４に露出検出素子３８として外からの可視光等に反応する受光素子を設けている。露出検出素子３８が受光可能な角度に対向する範囲の少なくとも一部と露出検出素子３８が検出する光の波長が透過する材質で形成されるようにするため、露出検出素子３８の正面を含む領域には透明板３２ｂが架台３２にはめ込まれている。
【００４９】
露出検出素子３８により受光出力が得られているときは、発煙装置１０は外部に露出した状態にあると判断して紫外線発光素子３６の発光駆動を禁止し、露出検出素子３８による受光出力が断たれたときには、発煙装置１０は外部に露出していない状態にあると判断し、紫外線発光素子３６の発光駆動を許容し、安全性を確保している。
【００５０】
なお、紫外線発光素子３６の配置位置は、容器１２に収納した発煙剤１６に対し均一に紫外線を照射できる位置であれば、適宜の位置に配置することができる。また、円形穴３２ａに相当する部分は紫外線を透過できれば良く、円形穴３２ａの代わりに透明な板をはめ込むようにして紫外線を透過しつつ力学的には容器１２を支えるようにしても良い。
【００５１】
［感度試験装置］
図２は図１の発煙装置を組み込んだ感度試験装置を示した説明図、図３は感度試験装置の内部構造を示した説明図、図４は感度試験装置の発煙装置組込み部分を側面から見た断面で示した説明図である。
【００５２】
図２及び図３に示すように、感度試験装置１００は、装置本体１０２に開閉自在な装置蓋１０４が設けられている。装置本体１０２は内部に試験空間１０６を持ち、ヒンジ１２０ａにより開閉自在なベース取付板１０８の感知器ベース１１０に、試験対象となる煙感知器１３０を取付け、ベース取付板１０８を閉じて煙感知器１３０を試験空間１０６に位置させる。
【００５３】
装置蓋１０４の内側には、電源スイッチ１１２、操作キーが配列された操作部１１４及び７セグメント素子を複数桁分配置したデジタル表示部１１６が設けられている。
【００５４】
装置本体１０２の右側面の下側には、把手１１８ａを備えた引出カバー１１８による引出構造が設けられ、その中に、引き出し自在に図１に示した発煙装置１０が配置され、発煙ケース１２０に収納された状態で組み込まれている。
【００５５】
発煙ケース１２０は手前側をヒンジ１２０ａとすることで開閉自在に設けられており、容器１２に発煙剤１６を補充する場合には、図２に示すように、発煙ケース１２０を上向きに開き、内蔵している容器１２に対し注射針により発煙剤１６を注入して補充可能としている。また、発煙ケース１２０の発煙装置１０に対応した位置には、発煙口１２２が設けられ、試験空間１０６に対し発煙装置１０で発生した煙を供給するようにしている。
【００５６】
発煙装置１０の近傍には循環ファン１２４が配置され、発煙装置１０から試験空間１０６に送り込まれた煙を循環ファン１２４で左側に送っている。循環ファン１２４で送られた煙は整流板１２６により試験空間１０６の上方に送られ、この上方空間には  感知器ベース１１０に装着した煙感知器１３０が複数位置し、また、試験空間１０６の煙濃度を検出する濃度検出器１２８が設置されている。
【００５７】
図４に示すように、感度試験装置１００の右側面の下側には、引出カバー１１８を備えた引出構造が設けられ、内部にヒンジ１２０ａにより開閉自在に設けた検煙ケース１２０の中に図１に示した発煙装置１０が組み込まれている。
【００５８】
発煙装置１０は図１に示したように容器１２に収納された発煙剤１６をヒータ２０により加熱して気化させることにより霧化した煙を発生させる。また発煙ケース１２０内には制御基板３４が配置され、制御基板３４には制御部４６を構成する回路部が実装されており、図２の装置蓋１０４の内側に電源スイッチ１１２をオン操作し、操作部１１４で試験開始操作を行った場合に、ヒータ２０の通電加熱制御により煙を発生させる。
【００５９】
（発煙装置と制御部）
図５は発煙装置と制御部の機能構成を示したブロック図である。図５に示すように、発煙装置１０に対応して設けられた制御部４６は、感度試験装置１００の電源スイッチ１１２をオン操作した場合、電源部１１５から定電圧電源の供給を受けて動作する。
【００６０】
制御部４６は、ハードウェアとしてＣＰＵ、メモリ、各種の入出力ポート等を備えたコンピュータ回路等で構成され、ＣＰＵによるプログラムの実行により実現される機能として、発煙制御部４８と殺菌制御部５０が設けられている。
【００６１】
発煙制御部４８は、図２に示した感度試験装置１００の操作部１１４により所定の試験開始操作を行ったときに起動し、所定の電圧・電流をコイルに印加して、又は温度検出部４２による検出温度を所定温度に保つように発煙装置１０のヒータ２０を加熱制御して煙を発生させる。
【００６２】
殺菌制御部５０は、電源スイッチ１１２による電源投入時、又は、電源投入後に感度試験装置１００の操作部１１４により最初の試験開始操作を行ったときに、発煙装置１０の紫外線発光素子３６を数秒程度、発光駆動し、容器１２に収納した発煙剤１６に紫外線を照射して殺菌する制御を行う。
【００６３】
また、殺菌制御部５０は、発煙装置１０に設けた露出検出素子３８の露出検出信号に基づき、紫外線発光素子３６の発光駆動を禁止する制御を行う。即ち、発煙装置１０が図２に示すように、装置本体１０２から引き出されて外部に露出している場合には、受光素子を用いた露出検出素子３８は外部からの光を受光して露出検出信号を出力しており、紫外線発光素子３６の発光駆動を禁止する制御を行っている。このため電源スイッチ１１２による電源投入又は最初の試験開始操作が行われても、紫外線発光素子３６は駆動されず、紫外線が人の目に入って炎症等を引き起こすことを確実に防止し、高い安全性が確保される。
【００６４】
一方、図３に示すように、発煙装置１０が装置本体１０２内に収納されている場合には、殺菌制御部５０は、受光素子を用いた露出検出素子３８に対する光の入射が遮断され、露出検出信号の出力が停止しており、紫外線発光素子３６の発光駆動を許容する制御を行っている。このため電源スイッチ１１２による電源投入又は最初の試験開始操作が行われると、紫外線発光素子３６の発光駆動が行われ、発煙が行われるタイミングの直前に容器１２に収納した発煙剤１６が紫外線の照射により殺菌される。
【００６５】
なお、発煙装置１０が露出状態にあるか否かを検出する露出検出素子３８としては、図２に示した引出カバー１１８の開閉を検出する検出スイッチとしても良い。
【００６６】
［加煙試験器］
図６は図１の発煙装置を組み込んだ加煙試験器を示した説明図である。図６に示すように、加煙試験器２００は、グリップ２０２を備えた支持棒２０４の先端に支持部材２０６を介して本体ケース２１０を軸支部２０８により回動自在に支持している。
【００６７】
本体ケース２１０は上部に開口した円筒体であり、上部開口にゴムパッキン２１２が装着され、また、開口片側に排気口２２０が形成され、一部が切欠された隔壁２１８で内部を上下に仕切っている。
【００６８】
隔壁２１８の下側となる本体ケース２１０の内部には、電動ファン２１４と制御部４６が組み込まれ、グリップ２０２側に設けられたリモコンユニット２０５に収納した電池から電源供給を受けると共にスイッチ操作を受けて動作する。電動ファン２１４の上側には架台２２２により図１に示した発煙装置１０が組み込まれている。
【００６９】
天井面に設置された煙感知器１３０の発報試験を行う場合には、本体ケース２１０で煙感知器１３０の下側を包むように押し付けてゴムパッキン２１２により閉鎖し、この状態でリモコンユニット２０５の試験開始操作により電動ファン２１４を作動させ、また、図１に示した発煙装置１０のヒータ２０に通電して煙を発生させ、隔壁２１８の切欠を介して煙感知器１３０を通り、更に排気口２２０に至る経路で煙を流し、煙感知器１３０を試験発報させて動作を確認する。
【００７０】
加煙試験器２００による煙感知器１３０の試験作業は、警戒区域の天井面に設置されている多数の煙感知器を順次試験する作業となるが、加煙試験器２００に組み込まれた発煙装置１０は、図１に示したように、容器１２の発煙剤１６をヒータ２０による通電加熱で霧化して煙を発生させており、煙感知器１３０に対し十分な量の煙を供給して短時間で試験することができる。
【００７１】
また、リモコンユニット２０５により最初の試験開始操作を行うと、制御部４６に設けた殺菌制御部５０は、発煙装置１０の紫外線発光素子３６を数秒程度、発光駆動し、容器１２に収納した発煙剤１６に紫外線を照射して殺菌する制御を行う。
【００７２】
また、発煙装置１０には、容器１２の取出しを検出する容器取出検出スイッチ４５が設けられており、発煙剤１６を補充するために容器１２を取り出すと容器取出検出スイッチ４５がオンし、このとき制御部４６に設けた殺菌制御部５０は、紫外線発光素子３６の発光駆動を禁止する制御を行い、紫外線が人の目に入って炎症等を引き起こすことを確実に防止し、高い安全性が確保される。
【００７３】
一方、発光装置１０が発煙装置１０内に収納されているときは、容器取出検出スイッチ４５がオフし、電源投入後にリモコンユニット２０５により最初の試験開始操作が行われると、紫外線発光素子３６の発光駆動が行われ、容器１２に収納した発煙剤１６が紫外線の照射により殺菌される。
【００７４】
［本発明の変形例］
（露出判定）
上記の実施形態は、露出検出素子又は力学的なスイッチにより外部への露出を検出しているが、露出検出素子及び力学的なスイッチのＡＮＤ条件により殺菌動作を許容するようにしても良い。
【００７５】
（紫外線発光素子）
上記の実施形態は、紫外線発光素子３６を一つ設けているが、必要に応じて複数設けても良い。また、紫外線発光素子３６を電源投入時、又は、電源投入後の最初の発煙開始時に発光駆動して容器１２の発煙剤１６を殺菌しているが、これに限定されず、適宜のタイミング、例えば所定周期で発光駆動して発煙剤１６の殺菌を行うようにしても良い。
【００７６】
また、発光駆動を行わせるための所定操作が行われたときに発煙剤１６の殺菌を行うようにしても良い。
【００７７】
また、紫外線発光素子３６は発煙剤１６を収納した容器１２の外に設けているが、防水構造を持たせることにより、容器１２内に配置しても良い。例えば回路基板を用いた蓋部材１４の下面に紫外線発光素子３６を配置し、紫外線を直接発煙剤１６に照射する。
【００７８】
（発煙剤）
また、グリセリン、プロピレングリコール等の水溶液を用いた発煙剤には、更に、増粘添加剤を混ぜても良い。これにより、容器から発煙剤が漏れることをさらに防止可能となる。
【００７９】
（その他）
また本発明は、その目的と利点を損なうことのない適宜の変形を含み、更に、上記の実施形態に示した数値による限定は受けない。
【符号の説明】
【００８０】
１０：発煙装置
１２：容器
１４：蓋部材
１５：液漏れ防止キャップ
１６：発煙剤
１８：芯材
２０：ヒータ
２２：コイル支持ポール
２４：ねじ
２６：発煙剤注入口キャップ
２８，４０：リード線
３０：コネクタ
３２：架台
３４：制御基板
３６：紫外線発光素子
３８：露出検出素子
４２：温度検出部
４５：容器取出検出スイッチ
４６：制御部
４８：発煙制御部
５０：殺菌制御部
１００：感度試験装置
１０２：装置本体
１０４：装置蓋
１０６：試験空間
１０８：ベース取付板
１１０：感知器ベース
１１２：電源スイッチ
１１４：操作部
１１６：デジタル表示部
１１８：引出カバー
１２０：発煙ケース
１２２：発煙口
１２４：循環ファン
１２６：仕切板
１２８：濃度検出器
１３０：煙感知器
２００：加煙試験器
２０２：グリップ
２０４：支持棒
２０５：リモコンユニット
２０６：支持部材
２１０：本体ケース
２１２：ゴムパッキン
２１４：電動ファン
２１８：隔壁
【図１】
2020194247.tif 000003
【図２】
2020194247.tif 000004
【図３】
2020194247.tif 000005
【図４】
2020194247.tif 000006
【図５】
2020194247.tif 000007
【図６】
2020194247.tif 000008